(57)【要約】      （修正有）【課題】ＧＰＳシステムを用いて偏角補正を自動で具現すると共に、地理情報データを表示することができるクリノメータを提供すること。【解決手段】多機能クリノメータは、筐体２と、筐体の表面上に設けられ、筐体の水平及び垂直状態を示すための姿勢表示部６、８と、筐体の表面上に設けられ、姿勢表示部の下部に隣接して設けられ、走向、偏角補正値、及び傾斜を表示するための第１のディスプレイ部と、筐体の表面上に設けられ、第１のディスプレイ部の下部に隣接して設けられ、地理データを表示するための第２のディスプレイ部とを含む。さらに、多機能クリノメータは、ＧＰＳモジュールの座標値に連動して、内部メモリに格納されている偏角補正値が、自動で計算され、多機能クリノメータに装着されたＧＰＳモジュールは、経度及び緯度、海抜高度を表示す。【選択図】図１
2014067033.tif 000002
【特許請求の範囲】
【請求項１】
筐体と、
前記筐体の表面上に設けられ、前記筐体の水平及び垂直状態を示すための姿勢表示部と、
前記筐体の表面上に設けられ、前記姿勢表示部に隣接して設けられ、走向、偏角補正値、及び傾斜を表示するための第１のディスプレイ部と、
前記筐体の表面上に設けられ、前記第１のディスプレイ部に隣接して設けられ、地理データを表示するための第２のディスプレイ部とを含み、
前記第１のディスプレイ部において表示される偏角補正値は、前記筐体内のメモリに格納されており、前記第２のディスプレイ部を成すＧＰＳデータ表示部に連動して、自動で計算されて表示されることを特徴とする多機能クリノメータ。
【請求項２】
前記筐体の表面上に設けられ、走向及び傾斜をアナログ方式で表示するクリノメータ表示部を、更に含むことを特徴とする請求項１に記載の多機能クリノメータ。
【請求項３】
前記姿勢表示部は、内部に含まれている流体の動きにより、その水平又は垂直状態を示すことを特徴とする請求項１に記載の多機能クリノメータ。
【請求項４】
前記第２のディスプレイ部が表示する地理データは、東経及び西経を含む経度と、北緯及び南緯を含む緯度とが含まれていることを特徴とする請求項１に記載の多機能クリノメータ。
【請求項５】
前記第２のディスプレイ部が表示する地理データには、海抜高度が更に含まれていることを特徴とする請求項４に記載の多機能クリノメータ。
【請求項６】
前記多機能クリノメータの四隅には、衝撃防止部がそれぞれ、更に設置されていることを特徴とする請求項１に記載の多機能クリノメータ。
【請求項７】
前記多機能クリノメータの前面側には、レーザ指示部が更に設置されていることを特徴とする請求項１に記載の多機能クリノメータ。
【請求項８】
電源供給及びデータ通信のための外部ポートが、更に設置されていることを特徴とする請求項１に記載の多機能クリノメータ。
【請求項９】
ストラップ固定部が、更に設置されていることを特徴とする請求項１に記載の多機能クリノメータ。
【発明の詳細な説明】
【技術分野】
【０００１】
本発明は、クリノメータに関し、より詳しくは、野外地質調査において、地層や斜面の傾斜角度及び／又は走向を測定するに際して使用するクリノメータに関する。
【背景技術】
【０００２】
クリノメータは、クリノコンパス、又は、傾斜計とも呼ばれ、野外での地質調査に際して、地表面の走向と傾斜を読み出して、地表面の空間的な分布状態を把握することに使用する装置である。
【０００３】
前記クリノメータは、野外地質調査に際して必須であると言っても過言ではない装備であるが、従来には、手動で処理しなければならない部分が多かった。
【０００４】
例えば、アナログ針の目盛値をクリノメータの目盛窓で一々読むか、測定した走向値に対して、偏角表を参照してその値を手動で補正しなければならないか、地理座標を、別の地理座標表示端末機を用いて確認しなければならないといった問題点がある。
【０００５】
本発明に関連する従来技術としては、下記のような特許文献１がある。
【先行技術文献】
【特許文献】
【０００６】
【特許文献１】韓国登録実用新案公報第２０−０２５０３９４号
【発明の概要】
【発明が解決しようとする課題】
【０００７】
そこで、本発明の目的は、従来のクリノメータで不便であったことを改善して、走向と傾斜をデジタルで読めるようにし、ＧＰＳシステムを用いて偏角補正を自動で具現すると共に、地理情報データを表示することができるクリノメータを提供することである。
【課題を解決するための手段】
【０００８】
前記課題を解決するため、本発明のデジタルクリノメータは、筐体と、前記筐体の表面上に設けられ、前記筐体の水平及び垂直状態を示すための姿勢表示部と、前記筐体の表面上に設けられ、前記姿勢表示部に隣接して設けられ、走向、偏角補正値、及び傾斜を表示するための第１のディスプレイ部と、前記筐体の表面上に設けられ、前記第１のディスプレイ部に隣接して設けられ、地理データを表示するための第２のディスプレイ部とを含むことを特徴とする。
【０００９】
また、本発明の多機能クリノメータは、前記筐体の表面上に設けられ、走向及び傾斜をアナログ方式で表示するクリノメータ表示部を、更に含む。
【００１０】
ここで、前記姿勢表示部は、内部に含まれる流体の動きにより、その水平又は垂直状態を示すことが望ましい。
【００１１】
また、前記第１のディスプレイ部で表示される偏角補正値は、前記筐体内のメモリに格納されていることが望ましい。
【００１２】
前記偏角補正値は、前記第２のディスプレイ部を成すＧＰＳデータ表示部に連動して自動で計算されて表示される。
【００１３】
また、前記第２のディスプレイ部が表示する地理データは、東経及び西経を含む経度と、北緯及び南緯を含む緯度とが含まれていることが望ましい。
【００１４】
更に、前記第２のディスプレイ部が表示する地理データには、海抜高度が更に含まれていることが更に望ましい。
【００１５】
また、前記多機能クリノメータの四隅には、衝撃防止部がそれぞれ、更に設けられる。
【００１６】
更に、前記多機能クリノメータの前面側には、レーザ指示部が更に設けられていることが望ましい。
【００１７】
また、本発明の多機能クリノメータには、電源供給及びデータ通信のための外部ポートが、更に設けられる。
【００１８】
更に、本発明の多機能クリノメータには、ストラップ固定部が、更に設けられるのが望ましい。
【発明の効果】
【００１９】
本発明によると、多数の機能が統合したクリノメータを使用することができるので、野外地質調査に際して、１回のみの測定でも、利便性を持って地質調査を行うことができる。
【図面の簡単な説明】
【００２０】
【図１】図１は、本発明の多機能クリノメータの要部を示す平面図である。
【図２】図２は、本発明の多機能クリノメータの正面側の概略斜視図である。
【図３】図３は、本発明の多機能クリノメータの後面側の概略斜視図である。
【発明を実施するための形態】
【００２１】
本発明の利点及び特徴、そして、これらを達成する方法は、添付の図面と共に詳細に後述されている実施形態を参照すると、明確になるだろう。しかし、本発明は、以下で示される実施形態に限るものではなく、互いに異なる様々な形態で具現化される。その意味で本実施形態は、単に本発明の開示が完全になるようにし、本発明が属する技術の分野における通常の知識を有する者に、発明の範疇を完全に知らせるために提供されるものであり、本発明の範疇を定義するのは、あくまで請求の範囲の記述のみである。
【００２２】
以下、添付の図面を参照して、本発明の好ましい実施形態による多機能クリノメータについて説明する。
【００２３】
図１は、本発明の多機能クリノメータの要部を示す平面図である。
【００２４】
本発明による多機能クリノメータ１００は、大きく、筐体２と、クリノメータ表示部２０と、姿勢表示部６、８と、走向・偏角・傾斜表示部１４、１６、１８と、ＧＰＳモジュール（図示せず）に連動して動作するＧＰＳデータ表示部２８とを含んでいる。
【００２５】
まず、筐体２の材質は、通常のアルミニウムが最も望ましいが、プラスチックなどのその他の材料で形成しても差し支えない。
【００２６】
また、前記筐体２の４つの側面には、多機能クリノメータ１００の落下、又は、他の物体などとの衝撃から多機能クリノメータ１００を保護するための衝撃防止部４、４、４、４が設けられていることが望ましい。
【００２７】
また、筐体２の内部には、前記走向・偏角・傾斜表示部１４、１６、１８及びＧＰＳデータ表示部２８の駆動のための制御装置（図示せず）と、電源供給部（図示せず）とが含まれていると理解すべきである。
【００２８】
前記筐体２の上部の表面側には、クリノメータ表示部２０、姿勢表示部６、８、走向表示部１４と偏角補正値表示部１６と傾斜表示部１８とからなる第１のディスプレイ部、地理データを表示するための第２のディスプレイ部が、上側から下側に順に並んで形成されている。
【００２９】
ここで、前記クリノメータ表示部２０は、南北を示す磁針２２と、傾斜を表示する傾斜針２４と、方位と角度などを指示するための目盛部２６などとを含んでいる。
【００３０】
次に、前記姿勢表示部６、８は、水平状態を表示するための水平表示部６と、垂直状態を表示するための垂直表示部８とからなり、その内部に含まれる液滴（又は、その他の流体内に形成される滴）１０、１２の動きによって、クリノメータの水平・垂直状態、つまり、姿勢を表示する。
【００３１】
前記姿勢表示部６、８の動作は、図面からも分かるように、中央の水準原点を基準に、どの方向にさらに傾いているかが表示され、これにより、クリノメータ１００を反対方向に適切に動かすことで、クリノメータ１００の水平・垂直状態、つまり、姿勢を正確に設定することができる。
【００３２】
また、第１のディスプレイ部は、走向表示部１４と、偏角補正値表示部１６と、傾斜表示部１８とからなっている。
【００３３】
前記走向表示部１４は、例えば、Ｎ□□．□□Ｅのデジタル形式で示され、他の形式で表現されることもできる。
【００３４】
ここで、Ｎは、北を意味し、Ｅは、東を意味する。
【００３５】
それで、Ｎ３２．００Ｅと示される場合、走向は、北を基準に、３２．００°分ほど、東に向かっているということを意味することになる。
【００３６】
前記第１のディスプレイ部の表示解像度は、最大、小数点の２桁程度まで表示される程度であると、望ましい。
【００３７】
一方、偏角補正値表示部１６は、Ｗ□□．□□のデジタル形式で示され、この偏角補正値表示部１６に示される偏角補正値は、前記ＧＰＳデータ表示部で算出される地理座標値に連動して、自動的に該当地域の補正すべき偏角を表示する。
【００３８】
前記偏角表示のうち、前方のＷは、西に偏向していることを意味し、Ｅと示されると、東に偏向していることを意味する。
【００３９】
その表示解像度は、前記走向表示部１４でのように、小数点２桁まで表示されることが望ましい。
【００４０】
参考として、前記偏角は、地理的な北極と、羅針盤が示す北極との角度差を意味するもので、ソウルの場合、西に６°（〜７°）程度の値を示しており、クリノメータで測定した走向値に、前記６゜の値分ほど反映して、表示しなければならない。
【００４１】
例えば、最初の走向測定時にＮ３０．００Ｅの値を得たら、前記ソウルでの偏角値を反映すると、最終的な走向値は、Ｎ２４．００Ｅとなる。
【００４２】
前記偏角は、地球上での地理的位置によって少しずつ異なる値を示すが、これを、走向を測定する野外地質調査現場でその都度反映することは多少煩わしいので、上述したように本発明では、ＧＰＳデータ表示部に連動して自動的に補正する。
【００４３】
前記偏角補正値は、地球上の位置毎に相違しており、また、同一の位置でも毎年変わることがあるので、該当地域の偏角補正値は、公信力を有した機関から入手した偏角補正データを、筐体内のメモリ（図示せず）に予め格納しておくことが望ましい。
【００４４】
例えば、大韓民国の場合、１９９６年を基準として、鬱陵島は、西に７°４５′を指し、白ニョン島は、西に７°３０′を指しているが、このような値を全てデータベース化して、クリノメータ内のメモリ装置に格納しておくと、ＧＰＳモジュールの地理座標に連動して、偏角補正値を自動で表示することができるようになる。
【００４５】
また、大韓民国の他の国で野外地質調査を行う場合は、該当国家に適合した偏角補正値データを予め受信して、本発明の多機能クリノメータ１００に格納しておくことが望ましい。
【００４６】
次に、傾斜表示部１８は、□□．□□ＮＷのデジタル形式で表示される。
【００４７】
ここで、前記傾斜表示部１８の表示が３２．００ＳＥと示されると、傾斜は、３２°であり、傾斜の方向は、ＳＥ、すなわち、東南という意味となる。
【００４８】
前記傾斜表示部１８の表示解像度は、前記走向表示部１４及び偏角補正値表示部１６でのように、小数点２桁まで表示されることが望ましい。
【００４９】
第１のディスプレイ部の表示値は、デジタルデータとして表示されるという特性上、随時に値が変わることもあるので、いくつのデジタル値を累積してから、これらの平均値を取る数値補正手段により、更に正確な値を表示することもできる。
【００５０】
このためには、前記数値補正手段を作動させるための別のスイッチ手段（図示せず）が、更に形成されていることが望ましい。
【００５１】
また、ＧＰＳデータ表示部２８は、地質調査現場に関連する地理データを表示する。
【００５２】
前記地理データには、東経及び西経を含む経度と、北緯及び南緯を含む緯度とが含まれることが望ましく、海抜高度が更に含まれていることが最も望ましい。
【００５３】
したがって、本発明による多機能クリノメータ１００を携帯したまま、野外地質を調査する場合、簡便に、走向、傾斜、偏角補正値、及び経度と緯度だけでなく、海抜高度などの各種の地理関連データを、１つの場所で１回に容易に獲得することができるようになる。
【００５４】
一方、図２は、本発明の多機能クリノメータの正面側の概略斜視図である。
【００５５】
図２に示した多機能クリノメータ１００の前面側には、レーザ指示部３０が形成されている。
【００５６】
前記レーザ指示部３０は、暗いか、又は狭い場所で、走向の方向又は傾斜を把握することに役に立てることができる。
【００５７】
一方、前記レーザ指示部３０に関連して、目標までの距離を測定し、これを表示する別の距離表示部（図示せず）が含まれるようにしても良い。
【００５８】
前記距離表示部（図示せず）が更に含まれる場合、地面から離隔している箇所での走向及び傾斜を測定することに役に立てることができる。
【００５９】
また、図２には、前記多機能クリノメータ１００を成す筐体２の側面部に、別の水平表示部４０が形成されている。
【００６０】
前記別の水平表示部４０は、本発明の多機能クリノメータ１００を、幅が広い方向に静置することができない狭い箇所でも、走向及び傾斜などを比較的簡単な方式により、精密に測定することができるようにする。
【００６１】
一方、図２において、符号５０は、例示のため、本発明の多機能クリノメータの走向・偏角・傾斜表示部１４、１６、１８と、ＧＰＳデータ表示部２８とを、合わせて示す。
【００６２】
最後に、図３は、本発明の多機能クリノメータの後面側の概略斜視図である。
【００６３】
図３に示している多機能クリノメータ１００には、外部との通信、又は電源供給のための外部ポート６０が、更に形成されている。
【００６４】
前記外部ポート６０は、必要に応じて、電源供給を行うか、又は、データ通信を行うこともできる。
【００６５】
上述したように、本発明の多機能クリノメータ１００は、偏角補正値に関連して内装したＧＰＳモジュールに連動するが、この偏角補正値を格納するために、前記外部ポート６０を通じるデータ通信が行われることができる。
【００６６】
また、図３を参照すると、前記多機能クリノメータ１００の四隅の少なくとも１箇所に、ストラップ固定部７０が設けられることもできる。
【００６７】
前記ストラップ固定部７０には、コストの高い多機能クリノメータ１００の意図しなかった墜落を防止するためのストラップ（図示せず）が固定されることができる。
【００６８】
以上、一部、例えば、本発明の望ましい実施形態による多機能クリノメータについて説明したが、このような説明は、例示に過ぎず、本発明が属する技術の分野における通常の知識を有する者であれば、以上の説明から本発明を多様に変形して実施するか、本発明に等しい実施を行うことができるということをよく理解するだろう。
【符号の説明】
【００６９】
２：筐体
４、４、４、４：衝撃防止部
６：水平表示部
６、８：姿勢表示部
８  ：垂直表示部
１０、１２：液滴又は滴
１４：走向表示部
１６：偏角補正値表示部
１８：傾斜表示部
２０：クリノメータ表示部
２８：ＧＰＳデータ表示部
３０：レーザ指示部
４０：水平表示部
６０：外部ポート
７０：ストラップ固定部
１００：多機能クリノメータ
【図１】
2014067033.tif 000003
【図２】
2014067033.tif 000004
【図３】
2014067033.tif 000005
【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
筐体と、
前記筐体の表面上に設けられ、前記筐体の水平及び垂直状態を示すための姿勢表示部と、
前記筐体の表面上に設けられ、前記姿勢表示部に隣接して設けられ、走向、偏角補正値、及び傾斜を表示するための第１のディスプレイ部と、
前記筐体の表面上に設けられ、前記第１のディスプレイ部に隣接して設けられ、地理データを表示するための第２のディスプレイ部と、
前記走向、偏角補正値、及び傾斜のデジタル値を累積してから、これらの平均を取る数値補正手段とを含み、
前記第１のディスプレイ部において表示される偏角補正値は、前記筐体内のメモリに格納されており、前記第２のディスプレイ部を成すＧＰＳデータ表示部に連動して、自動で計算されて表示され、
前記数値補正手段は、別のスイッチ手段によって作動させることを特徴とする多機能クリノメータ。
【請求項２】
前記筐体の表面上に設けられ、走向及び傾斜をアナログ方式で表示するクリノメータ表示部を、更に含むことを特徴とする請求項１に記載の多機能クリノメータ。
【請求項３】
前記姿勢表示部は、内部に含まれている流体の動きにより、その水平又は垂直状態を示すことを特徴とする請求項１に記載の多機能クリノメータ。
【請求項４】
前記第２のディスプレイ部が表示する地理データは、東経及び西経を含む経度と、北緯及び南緯を含む緯度とが含まれていることを特徴とする請求項１に記載の多機能クリノメータ。
【請求項５】
前記第２のディスプレイ部が表示する地理データには、海抜高度が更に含まれていることを特徴とする請求項４に記載の多機能クリノメータ。
【請求項６】
前記多機能クリノメータの四隅には、衝撃防止部がそれぞれ、更に設置されていることを特徴とする請求項１に記載の多機能クリノメータ。
【請求項７】
前記多機能クリノメータの前面側には、レーザ指示部が更に設置されていることを特徴とする請求項１に記載の多機能クリノメータ。
【請求項８】
電源供給及びデータ通信のための外部ポートが、更に設置されていることを特徴とする請求項１に記載の多機能クリノメータ。
【請求項９】
ストラップ固定部が、更に設置されていることを特徴とする請求項１に記載の多機能クリノメータ。
【手続補正２】
【補正対象書類名】明細書
【補正対象項目名】０００８
【補正方法】変更
【補正の内容】
【０００８】
前記課題を解決するため、本発明のデジタルクリノメータは、筐体と、前記筐体の表面上に設けられ、前記筐体の水平及び垂直状態を示すための姿勢表示部と、前記筐体の表面上に設けられ、前記姿勢表示部に隣接して設けられ、走向、偏角補正値、及び傾斜を表示するための第１のディスプレイ部と、前記筐体の表面上に設けられ、前記第１のディスプレイ部に隣接して設けられ、地理データを表示するための第２のディスプレイ部と、前記走向、偏角補正値、及び傾斜のデジタル値を累積してから、これらの平均を取る数値補正手段とを含むことを特徴とする。
【手続補正３】
【補正対象書類名】明細書
【補正対象項目名】００１２
【補正方法】変更
【補正の内容】
【００１２】
前記偏角補正値は、前記第２のディスプレイ部を成すＧＰＳデータ表示部に連動して自動で計算されて表示され、前記数値補正手段の作動は、別のスイッチ手段によってされることを特徴とする。